(57)【要約】【課題】新設されたフェムト基地局を、自動的に且つ迅速に好適な位置登録エリアに登録することを目的とする。【解決手段】既設の基地局は、複数の登録エリアのいずれかに属し、自局を示す局識別子を含む報知情報を周期的に送信しており、新設される基地局は、既設の基地局が周期的に送信している報知情報を受信して報知情報に含まれる局識別子を前記管理装置に送信し、管理装置は、受信した局識別子に基づいて、新設される基地局が属する登録エリアを決定し、決定した登録エリアのエリア識別子を新設された基地局に送信する。【選択図】図３
2011015352.tif 000002
【特許請求の範囲】
【請求項１】
既設の基地局は、複数の登録エリアのいずれかに属し、
自局を示す局識別子を含む報知情報を周期的に送信する送信手段を備え、
新設される基地局は、
前記既設の基地局が周期的に送信している報知情報を受信する隣接局受信手段と、
受信した報知情報に含まれる局識別子を管理装置に送信する送信手段と、
属すべき登録エリアを示すエリア識別子を受信する受信手段とを備え、
前記管理装置は、
受信した局識別子に基づいて、前記新設される基地局が属する登録エリアを決定する決定手段と、
決定した登録エリアのエリア識別子を前記新設された基地局に送信する送信手段とを備える
通信システム。
【請求項２】
前記決定手段は、
受信した局識別子で示される前記既設の基地局が属する登録エリアが１つである場合は、当該登録エリアを前記新設される基地局が属する登録エリアとして決定する
請求項１記載の通信システム。
【請求項３】
前記決定手段は、
受信した局識別子で示される前記既設の基地局が属する登録エリアが２つ以上である場合は、当該登録エリアのうち登録されている基地局の数がもっとも少ない登録エリアを、前記新設される基地局が属する登録エリアとして決定する
請求項１記載の通信システム。
【請求項４】
前記通信システムは、更に、１以上の基地局を制御する制御装置を２以上有し、
前記決定手段は、
２以上の前記制御装置がそれぞれ制御する基地局が、１つの登録エリアに属することとなる場合には、１つの登録エリアに属することとなる全ての基地局を１つの制御装置に制御させるように、基地局が属する登録エリアを決定する
請求項１記載の通信システム。
【請求項５】
１以上の既設の基地局が属する登録エリアを複数有する通信網に新設される基地局であって、
前記既設の基地局が属する登録エリアを示すエリア識別子と自局を示す局識別子とを含み、当該既設の基地局が周期的に送信している報知情報を受信する隣接局受信手段と、
受信した局識別子の数に基づいて属すべき登録エリアとして決定された登録エリアを示すエリア識別子を取得する取得手段と
を備える基地局。
【請求項６】
複数の登録エリアのいずれかに属する既設の基地局に、自局を示す局識別子を含む報知情報を周期的に送信させ、
前記既設の基地局が周期的に送信している報知情報を、新設される基地局に受信させ、
前記新設される基地局に、受信した報知情報に含まれる局識別子を管理装置へ送信させ、
前記管理装置に、受信した局識別子に基づいて、前記新設される基地局が属する登録エリアを決定させ、
前記管理装置に、決定した登録エリアを示すエリア識別子を前記新設された基地局へ送信させ、
前記新設される基地局に、決定した登録エリアを示すエリア識別子を受信させる
通信方法。
【請求項７】
１以上の既設の基地局が属する登録エリアを複数有する通信網に新設される基地局に、いずれかの登録エリアに登録するための処理を行わせるコンピュータプログラムであって、
前記基地局に、
前記既設の基地局が属する登録エリアを示すエリア識別子と自局を示す局識別子とを含み、当該既設の基地局が周期的に送信している報知情報を受信する隣接局受信処理を実行させ、
受信した局識別子の数に基づいて属すべき登録エリアとして決定された登録エリアを示すエリア識別子を取得する取得処理を実行させる
コンピュータプログラム。
【発明の詳細な説明】
【技術分野】
【０００１】
本発明は、基地局の位置登録エリアを形成する技術に関する。
【背景技術】
【０００２】
従来から、移動通信ネットワークでは、携帯電話機等の移動局の位置は位置登録エリア単位でコアネットワークに記憶されている。一方の移動局から他方の移動局に着信等を行おうとする場合、他方の移動局が位置登録している位置登録エリアに在る基地局が当該移動局に対して一斉に呼び出しをかける。
【０００３】
移動局は、移動して別の位置登録エリアに入る度に、位置登録エリアの変更をコアネットワークに対して行う。
【０００４】
従って、この位置登録エリアは、移動局の位置登録エリアの変更頻度及び一斉呼び出し等を行う範囲等を考慮した構成となっている。
【０００５】
ここで、基地局が新設又は撤去された場合に、自動的に位置登録エリアを再構成し、最適化を図る技術が知られている。
【０００６】
例えば、新設された基地局が、自基地局の位置と周囲の基地局が形成している位置登録エリアの状態とに基づいて所属すべき位置登録エリアを選択して所属し、また、管理サーバが各位置登録エリアのトラフィックが平滑化されるように再構成を行う技術が知られている（特許文献１参照）。
【先行技術文献】
【特許文献】
【０００７】
【特許文献１】特開２００３−１７４６６５号公報
【発明の概要】
【発明が解決しようとする課題】
【０００８】
しかし、近年、フェムトセル方式による超小型基地局設備（以下、「フェムト基地局」という。）が開発され、イーサネット（登録商標）回線やブロードバンド回線に接続できる基地局の開設が技術的に可能となってきている。
【０００９】
関連法案の改正等の条件が整えば、ユーザが量販店等においてフェムト基地局を購入し、自宅やオフィス等の任意の場所に設置することが可能となる。
【００１０】
すなわち、任意の時に、任意の数のフェムト基地局が、任意の場所に配置されることとなる。また、設置されたこれらのフェムト基地局が個人用の基地局としてだけでなく公衆基地局として利用されることとなり得る。
【００１１】
従って、新設されたフェムト基地局の位置登録エリアへの登録は迅速に且つ好適に行う必要がある。
【００１２】
そこで、本発明は、フェムト基地局が新設されたら、自動的に且つ迅速に好適な位置登録エリアに登録することを目的とする。
【課題を解決するための手段】
【００１３】
本発明の１形態に係る通信システムは、基地局及び管理装置を有し、既設の基地局は、複数の登録エリアのいずれかに属し、自局を示す局識別子を含む報知情報を周期的に送信する送信手段を備え、新設される基地局は、前記既設の基地局が周期的に送信している報知情報を受信する隣接局受信手段と、受信した報知情報に含まれる局識別子を前記管理装置に送信する送信手段と、属すべき登録エリアを示すエリア識別子を受信する受信手段とを備え、前記管理装置は、受信した局識別子に基づいて、前記新設される基地局が属する登録エリアを決定する決定手段と、決定した登録エリアのエリア識別子を前記新設された基地局に送信する送信手段と、を有する。
【発明の効果】
【００１４】
上記構成の通信システムは、新設されたフェムト基地局を、自動的に且つ迅速に好適な位置登録エリアに登録することができる。
【図面の簡単な説明】
【００１５】
【図１】通信システムの構成例を示す図である。
【図２】報知情報及び新設される基地局の例を示す図である。
【図３】基地局、制御局及び管理サーバの機能的構成の例を示すブロック図である。
【図４】報知情報１７１０の構成及び内容の例を示す図である。
【図５】登録要求及び基地局詳細情報の構成及び内容の例を示す図である。
【図６】エリア番号通知の構成及び内容の例を示す図である。
【図７】収容要求及び削除要求の構成及び内容の例を示す図である。
【図８】制御局エリア管理テーブルの構成及び内容の例を示す図である。
【図９】制御局属性管理テーブルの構成及び内容の例を示す図である。
【図１０】基地局管理テーブルの構成及び内容の例を示す図である。
【図１１】基地局の登録処理を示すフローチャートである。
【図１２】登録エリアの決定処理を示すフローチャートである。
【図１３】収容替え処理を示すフローチャートである。
【図１４】新設する基地局の位置と登録する位置登録エリアとの例を示す図である（その１）。
【図１５】新設する基地局の位置と登録する位置登録エリアとの例を示す図である（その２）。
【図１６】新設する基地局の位置と登録する位置登録エリアとの例を示す図である（その３）。
【発明を実施するための形態】
【００１６】
＜実施形態＞
図１は、実施形態の通信システムの構成例を示す図である。
【００１７】
通信システムは、基地局１０００Ａ〜基地局１０００Ｉ等、制御局２０００Ａ及び制御局２０００Ｂ、管理サーバ３０００を有する。基地局１０００Ａ等は、いわゆるフェムト基地局であり、位置登録エリア１０Ａ〜位置登録エリア１０Ｃのうちのいずれかの位置登録エリア１０に登録され、属している。以下、基地局１０００Ａ〜Ｉ等を総称して「基地局１０００」といい、制御局２０００Ａ及びＢを総称して「制御局２０００」といい、位置登録エリア１０Ａ〜Ｃを総称して「位置登録エリア１０」というものとする。
【００１８】
図１で示す構成例では、基地局１０００Ａ〜基地局１０００Ｄの４つの基地局１０００は、位置登録エリア１０Ａに登録されており、基地局１０００Ｅ〜基地局１０００Ｉの５つの基地局１０００は、位置登録エリア１０Ｂに登録されている。斜線が引かれた基地局１０００Ｘは、新設される基地局１０００を示す。従って、基地局１０００Ｘはいずれの位置登録エリア１０にも未だ登録されていない。
【００１９】
また、各位置登録エリア１０に登録されている基地局１０００は、ＩＰ網を介していずれかの制御局２０００によって制御されている。図１に示す構成例では、位置登録エリア１０Ａに登録されている基地局１０００は制御局２０００Ａによって制御され、位置登録エリア１０Ｂ及び位置登録エリア１０Ｃに登録されている基地局１０００は制御局２０００Ｂによって制御されている。
【００２０】
各制御局２０００は、管理サーバ３０００によって管理されている。
【００２１】
管理サーバ３０００及び制御局２０００は、通信事業者のコアネットワークを構成する。
【００２２】
ここで、位置登録エリア１０Ａ内に在る移動局２０に対して着呼を行おうとした場合には、管理サーバ３０００は制御局２０００Ａに指示を出して、位置登録エリア１０Ａに属する基地局１０００に一斉に呼び出しを行わせる。
【００２３】
この一斉呼び出しを行うためには、管理サーバ３０００は移動局２０が属している位置登録エリア１０を常に把握しておく必要がある。そのために、移動局２０は、自移動局が属している位置登録エリア１０が変わった場合には、新しい位置登録エリア１０を管理サーバ３０００に通知することとしている。
【００２４】
移動局２０が、自移動局が属している位置登録エリア１０を知る方法について、図２を用いて説明する。図２は、報知情報及び新設される基地局の例を示す図である。
【００２５】
基地局１０００は、移動局２０が自移動局が属している位置登録エリア１０を知ることができるように、自基地局が登録されている位置登録エリア１０の識別子を含む報知情報を周期的に送信している。
【００２６】
図２において、基地局１０００の周りの円は、各基地局１０００が送信している報知情報の到達範囲を示す。到達範囲は、例えば、半径数十メートルである。
【００２７】
点線の円は、位置登録エリア１０Ａに登録されている基地局１０００が報知する報知情報の到達範囲を示し、実線の円は、位置登録エリア１０Ｂに登録されている基地局１０００が報知する報知情報の到達範囲を示す（図１４〜図１６においても同様。）。すなわち、位置登録エリア１０の範囲とは、この位置登録エリア１０に登録されている基地局１０００が送信している報知情報が到達する範囲である。
【００２８】
移動局２０は、管理サーバ３０００に通知している位置登録エリア１０の識別子を記憶している。移動局２０は、適時この報知情報を受信し、受信した報知情報に含まれる位置登録エリア１０の識別子と記憶している位置登録エリア１０の識別子とを比較することで、属している位置登録エリア１０が変わったことを知ることができる。
【００２９】
移動局２０は、属している位置登録エリア１０が変わったことを知る都度、新しく属することとなった位置登録エリア１０を管理サーバ３０００に通知する。
【００３０】
実施形態の通信システムに新設される基地局１０００Ｘは、本来移動局２０に向けて送信されている報知情報を受信する。そして、基地局１０００Ｘが受信した報知情報に基づいて、基地局１０００Ｘが登録されるべき位置登録エリア１０が管理サーバ３０００によって決定される。
【００３１】
新設される基地局１０００Ｘは、例えば、図２に示す基地局１０００Ｘのように様々な場所に設置される。例えば、基地局１０００Ｘ−１、基地局１０００Ｘ−２及び基地局１０００Ｘ−３が設置される場所である。
【００３２】
基地局１０００Ｘ−１が設置される場所は、既設の基地局１０００が送信している報知情報を基地局１０００Ｘ−１が受信することができない場所である。また、基地局１０００Ｘ−２が設置される場所は、位置登録エリア１０Ａに属する基地局１０００が送信している報知情報と位置登録エリア１０Ｂに属する基地局１０００が送信している報知情報とを受信する場所である。すなわち、基地局１０００Ｘ−２は、複数の位置登録エリア１０の識別子を受信することになる。また、基地局１０００Ｘ−３が設置される場所は、位置登録エリア１０Ａに属する基地局１０００が送信している報知情報を受信する場所である。すなわち、基地局１０００Ｘ−３は、１つの位置登録エリア１０の識別子を受信する。
【００３３】
実施形態の通信システムでは、基地局１０００Ｘが受信した報知情報に含まれる位置登録エリア１０の識別子等の情報に基づいて、基地局１０００Ｘが登録されるべき位置登録エリア１０を管理サーバ３０００が決定する。
【００３４】
また、基地局１０００Ｘが登録されるべき位置登録エリア１０を管理サーバ３０００が決定する際に、既設の基地局１０００が登録されている位置登録エリア１０を変更するか否かも決定する。以下、基地局１０００の登録先の位置登録エリア１０を変更することを「収容替えを行う」というものとする。尚、変更後の位置登録エリア１０は、変更前の位置登録エリア１０と同じ制御局２０００が制御するものであっても、異なる制御局２０００が制御するものであってもよい。
【００３５】
基地局１０００はいずれかの制御局２０００で制御されるが、制御局２０００には当然ながら性能的な限界がある。また、通信システムの効率的な運用を行うには、１つの位置登録エリア１０に登録する基地局１０００の数にも最適な数がある。一方で、フェムト基地局等の小型の基地局をユーザが量販店等において購入できるようになり、自宅やオフィス等の任意の場所に設置することが可能となると、ある制御局２０００が管理する位置登録エリア１０に基地局１０００が集中して設置されることがあり得る。
【００３６】
このような場合、本来収容すべき制御局２０００に基地局１０００を収容することができずに、他の制御局２０００に収容せざるを得ない場合が生じ得る。すなわち、同じ位置登録エリア１０に登録されている基地局１０００を複数の制御局２０００で管理せざるを得ない場合が生じ得る。このような場合は、一斉呼び出しを行う際に、複数の制御局２０００を介して、１つの位置登録エリア１０の基地局１０００に指示を出さなければならなくなり不効率である等の様々な不都合が生じる。
【００３７】
従って、実施形態の通信システムでは、適時、基地局１０００の収容替えを行い制御局の負荷の低減を図る好適な構成とし、通信システムの効率的で円滑な運用を可能としている。
【００３８】
以下、実施形態の通信システムについて、図を用いて説明する。
【００３９】
＜機能＞
図３は、基地局１０００、制御局２０００及び管理サーバ３０００の機能的構成の例を示すブロック図である。
【００４０】
基地局１０００は、制御部１１００、無線通信部１２００、有線通信部１３００、登録処理部１４００、位置測位部１５００、隣接基地局検出部１６００、報知情報送信部１７００及び基地局情報記憶部１８００を有する。
【００４１】
制御部１１００は、移動局２０とＩＰ網との橋渡しをする機能を有する。その他、基地局１０００自身が設置されたときに、登録すべき位置登録エリア１０を取得するために他の機能部を制御する機能等を有する。
【００４２】
無線通信部１２００は、移動局２０又は他の基地局１０００と無線で通信する機能を有する。具体的には、移動局２０が他の移動局２０と行っている通話等におけるデータの送受信を行う他、移動局２０に向けた報知情報の送信を行う。また、他の基地局１０００が送信している報知情報を受信する。
【００４３】
有線通信部１３００は、ルータ等を介して、ＩＰ網につながるブロードバンド回線と有線接続する機能を有する。この有線通信部１３００を介して、基地局１０００は、管理サーバ３０００及び制御局２０００と通信を行う。
【００４４】
登録処理部１４００は、基地局１０００自身を位置登録エリア１０に登録する処理を行う機能を有する。具体的には、管理サーバ３０００に登録を依頼し、登録した位置登録エリア１０の通知を受ける。
【００４５】
位置測位部１５００は、ＧＰＳ（Global Positioning System）機能を有し、基地局１０００の自身の位置を緯度経度で検出する。
【００４６】
隣接基地局検出部１６００は、基地局１０００自身の周辺に存在する他の基地局１０００を検出する機能を有する。具体的には、無線通信部１２００を介して、他の基地局１０００が送信している報知情報を受信し、受信した報知情報を送信した他の基地局１０００を隣接基地局として検出する。
【００４７】
報知情報送信部１７００は、基地局１０００自身が登録されている位置登録エリア１０を示す情報を含ませた報知情報を生成し、無線通信部１２００を介して所定周期で送信する機能を有する。
【００４８】
基地局情報記憶部１８００は、基地局１０００自身に関する情報を記憶しておく機能を有する。具体的には、基地局１０００自身の位置を示す緯度経度及び属している位置登録エリア１０を示す情報を記憶しておく。
【００４９】
次に、制御局２０００は、制御部２１００、通信部２２００、基地局登録部２３００及び基地局管理テーブル記憶部２４００を有する。
【００５０】
制御部２１００は、制御局２０００の全体を制御する機能を有し、位置登録エリア１０の再編成等の処理を行うために他の機能部を制御等する機能を有する。
【００５１】
通信部２２００は、ＩＰ網を介して、基地局１０００又は管理サーバ３０００と通信する機能を有する。
【００５２】
基地局登録部２３００は、制御局２０００自身が管理している位置登録エリア１０に基地局１０００を追加し、又は、位置登録エリア１０から基地局１０００を削除する機能を有する。
【００５３】
基地局管理テーブル記憶部２４００は、制御局２０００自身が管理している位置登録エリア１０が、いずれの基地局１０００を登録しているかを管理するテーブルを記憶しておく機能を有する。
【００５４】
次に、管理サーバ３０００は、制御部３１００、通信部３２００、登録要求処理部３３００、登録エリア決定部３４００、収容処理部３５００及び制御局管理テーブル記憶部３６００を有する。
【００５５】
制御部３１００は、管理サーバ３０００の全体を制御する機能を有し、新設された基地局１０００を適切な位置登録エリア１０に登録するために他の機能部を制御等する機能を有する。
【００５６】
通信部３２００は、ＩＰ網を介して、基地局１０００又は制御局２０００と通信する機能を有する。
【００５７】
登録要求処理部３３００は、位置登録エリア１０への登録を要求してきた基地局１０００を、好適な位置登録エリア１０に登録する処理を行う機能を有する。また、既設の基地局１０００が属している位置登録エリア１０を変更する必要がある場合は、収容処理部３５００に収容替えを指示する機能を有する。登録する好適な位置登録エリア１０及び収容替えの必要のある基地局１０００等は、登録エリア決定部３４００に依頼して取得する。
【００５８】
登録エリア決定部３４００は、登録要求処理部３３００の依頼により、基地局１０００を登録するのに好適な位置登録エリア１０を決定する機能を有する。その際に、既設の基地局１０００の収容替えを行う必要があるか否かを判断し、収容替えが必要な場合は、収容替えする基地局１０００等も決定する。
【００５９】
収容処理部３５００は、登録要求処理部３３００の依頼により、基地局１０００の収容替えを行う機能を有する。
【００６０】
制御局管理テーブル記憶部３６００は、管理サーバ３０００自身が管理している基地局１０００が、いずれの制御局２０００が管理している位置登録エリア１０に登録されているかを管理するテーブルを記憶しておく機能を有する。
【００６１】
上述した機能の全部または一部は、基地局１０００、制御局２０００及び管理サーバ３０００の有するそれぞれのＣＰＵが、基地局１０００、制御局２０００及び管理サーバ３０００それぞれのメモリ等に記録されているプログラムを実行することにより実現される。
【００６２】
＜データ＞
次に、実施形態の通信システムで用いるデータについて図４〜図１０を用いて説明する。
【００６３】
図４〜図７を用いて、基地局１０００、制御局２０００及び管理サーバ３０００の間でやり取りするメッセージについて説明する。また、図８〜図１０を用いて、制御局２０００及び管理サーバ３０００がそれぞれ記憶しているテーブルについて説明する。
【００６４】
図４は、報知情報１７１０の構成及び内容の例を示す図である。
【００６５】
この報知情報１７１０は、基地局１０００が移動局２０に向けて周期的に送信しているメッセージである。
【００６６】
報知情報１７１０は、メッセージ内容１７１１、位置情報１７１２、事業者コード１７１３、エリア番号１７１４及び基地局番号１７１５を有する。
【００６７】
メッセージ内容１７１１は、当該メッセージの内容を示す。報知情報１７１０では、メッセージ内容１７１１として「報知情報」が設定される。実施形態では、説明の便宜上、「報知情報」を設定するとしているが、「報知情報」であることを示すコード等であってももちろんよい。以下に説明する他のメッセージについても同様である。
【００６８】
位置情報１７１２は、当該報知情報１７１０を送信している基地局１０００が設置されている位置を示す。実施形態では、緯度経度で示す。
【００６９】
事業者コード１７１３は、当該報知情報１７１０を送信している基地局１０００が管理されている通信事業者の識別子を示す。言い換えれば、基地局１０００のユーザが契約した通信事業者の識別子である。例えば、「Ｐ００１」である。
【００７０】
エリア番号１７１４は、当該報知情報１７１０を送信している基地局１０００が登録されている位置登録エリア１０の識別子を示す。例えば、位置登録エリア１０Ａの場合は、エリア番号１７１４に位置登録エリア１０Ａの識別子として「Ａｒｅａ−Ａ」が設定される。
【００７１】
基地局番号１７１５は、当該報知情報１７１０を送信している基地局１０００自身の識別子を示す。例えば、基地局１０００Ａの場合は、基地局番号１７１５に基地局１０００Ａの識別子として「ＦｅｍｔｏＡ」が設定される。
【００７２】
図５は、登録要求１４１０及び基地局詳細情報１４２０の構成及び内容の例を示す図である。
【００７３】
登録要求１４１０及び基地局詳細情報１４２０は、基地局１０００が管理サーバ３０００に対して送信するメッセージである。登録要求１４１０は、いずれかの位置登録エリア１０への登録を要求するためのメッセージであり、基地局詳細情報１４２０は、管理サーバ３０００が位置登録エリア１０を決定する際に必要となる基地局１０００の情報を伝えるためのメッセージである。
【００７４】
登録要求１４１０は、メッセージ内容１４１１、サーバ宛先１４１２、基地局番号１４１３、認証情報１４１４及び基地局アドレス１４１５を有する。
【００７５】
メッセージ内容１４１１は、当該メッセージの内容を示す。登録要求１４１０では、メッセージ内容１４１１として「基地局の登録要求」が設定される。
【００７６】
サーバ宛先１４１２は、当該登録要求１４１０を送信する宛先を示す。具体的には、管理サーバ３０００のアドレスである。例えば、「Ｓｅｒｖｅｒ＿ａｄｄｒ」が設定される。
【００７７】
基地局番号１４１３は、当該登録要求１４１０を送信している基地局１０００の識別子を示す。すなわち、新設され、いずれの位置登録エリア１０にも未だ登録されていない基地局１０００の識別子が設定される。
【００７８】
認証情報１４１４は、管理サーバ３０００が、基地局１０００が正規の基地局であるか否かを判断するための情報である。認証情報１４１４が真正であると管理サーバ３０００が判断した場合にのみ、基地局１０００との接続を行う。この認証情報１４１４は、各基地局１０００が通信事業者と取り決めたものであり、基地局１０００がそれぞれ記憶しているものとする。
【００７９】
基地局アドレス１４１５は、基地局番号１４１３で示される基地局１０００のアドレスを示す。
【００８０】
次に、基地局詳細情報１４２０は、メッセージ内容１４２１、サーバ宛先１４２２、基地局番号１４２３、位置情報１４２４及び隣接基地局番号１４２５を有する。
【００８１】
メッセージ内容１４２１は、当該メッセージの内容を示す。基地局詳細情報１４２０では、メッセージ内容１４２１として「基地局の詳細情報」が設定される。
【００８２】
サーバ宛先１４２２は、当該基地局詳細情報１４２０を送信する宛先を示す。具体的には、管理サーバ３０００のアドレスである。
【００８３】
基地局番号１４２３は、当該基地局詳細情報１４２０を送信している基地局１０００の識別子を示す。すなわち、登録要求１４１０を送信した基地局１０００の識別子、すなわち、基地局番号１４１３に設定したものと同じ識別子が設定される。この基地局詳細情報１４２０は、登録要求１４１０を送信し、管理サーバ３０００によって認証が肯定的になされた旨の通知があった後に送信される。
【００８４】
位置情報１４２４は、基地局番号１４２３で示される基地局１０００が設置されている位置を示す。実施形態では、緯度経度で示す。
【００８５】
隣接基地局番号１４２５は、基地局番号１４２３で示される基地局１０００に隣接している基地局１０００の識別子を示す。具体的には、基地局番号１４２３で示される基地局１０００が受信した報知情報１７１０（図４参照）に含まれている基地局番号１７１５
である。報知情報１７１０を複数の基地局１０００から受信している場合は、その数の分の識別子が隣接基地局番号１４２５として設定される。
【００８６】
図６は、エリア番号通知３３１０の構成及び内容の例を示す図である。
【００８７】
エリア番号通知３３１０は、管理サーバ３０００が基地局１０００に対して送信するメッセージである。このエリア番号通知３３１０は、基地局１０００が管理サーバ３０００に送信した登録要求１４１０に対して、当該管理サーバ３０００が登録したエリアを通知するメッセージである。
【００８８】
エリア番号通知３３１０は、メッセージ内容３３１１、基地局宛先３３１２及び新エリア番号３３１３を有する。
【００８９】
メッセージ内容３３１１は、当該メッセージの内容を示す。エリア番号通知３３１０では、メッセージ内容３３１１として「エリア番号の通知」が設定される。
【００９０】
基地局宛先３３１２は、当該エリア番号通知３３１０の送信先である基地局１０００のアドレスを示す。
【００９１】
新エリア番号３３１３は、基地局宛先３３１２で示される基地局１０００が登録された位置登録エリア１０の識別子を示す。
【００９２】
図７は、収容要求３３２０及び削除要求３３３０の構成及び内容の例を示す図である。
【００９３】
収容要求３３２０及び削除要求３３３０は、管理サーバ３０００が制御局２０００に対して送信するメッセージである。収容要求３３２０は、基地局１０００の収容を要求するためのメッセージであり、削除要求３３３０は、基地局１０００の削除を要求するためのメッセージである。
【００９４】
収容要求３３２０は、メッセージ内容３３２１、制御局宛先３３２２、基地局番号３３２３及びエリア番号３３２４を有する。
【００９５】
メッセージ内容３３２１は、当該メッセージの内容を示す。収容要求３３２０では、メッセージ内容３３２１として「基地局の収容要求」が設定される。
【００９６】
制御局宛先３３２２は、当該収容要求３３２０の送信先である制御局２０００のアドレスを示す。
【００９７】
基地局番号３３２３は、制御局宛先３３２２で示される制御局２０００に収容を要求する基地局１０００の識別子を示す。
【００９８】
エリア番号３３２４は、基地局番号３３２３で示される基地局１０００を登録する位置登録エリア１０の識別子を示す。このエリア番号３３２４で示される位置登録エリア１０は、制御局宛先３３２２で示される制御局２０００によって管理されている。
【００９９】
次に、削除要求３３３０は、メッセージ内容３３３１、制御局宛先３３３２、基地局番号３３３３及びエリア番号３３３４を有する。
【０１００】
メッセージ内容３３３１は、当該メッセージの内容を示す。削除要求３３３０では、メッセージ内容３３３１として「基地局の削除要求」が設定される。
【０１０１】
制御局宛先３３３２は、当該削除要求３３３０の送信先である制御局２０００のアドレスを示す。
【０１０２】
基地局番号３３３３は、制御局宛先３３３２で示される制御局２０００から削除する基地局１０００の識別子を示す。
【０１０３】
エリア番号３３３４は、基地局番号３３３３で示される基地局１０００を削除する位置登録エリア１０の識別子を示す。このエリア番号３３３４で示される位置登録エリア１０は、制御局宛先３３３２で示される制御局２０００によって管理されている。
【０１０４】
図８は、制御局エリア管理テーブル３６１０の構成及び内容の例を示す図である。
【０１０５】
制御局エリア管理テーブル３６１０は、管理サーバ３０００の制御局管理テーブル記憶部３６００に記憶されているテーブルである。このテーブルは、管理サーバ３０００が管理している各制御局２０００がどの位置登録エリア１０を管理しているのかを記憶している。更に、各位置登録エリア１０に登録されている基地局１０００を記憶している。
【０１０６】
また、通信システムに新たな制御局２０００及び位置登録エリア１０が追加又は削除された場合には、適時、制御局エリア管理テーブル３６１０にデータが追加又は削除される。
【０１０７】
制御局エリア管理テーブル３６１０は、登録番号３６１１、制御局番号３６１２、制御局アドレス３６１３、エリア番号３６１４、基地局番号３６１５及び基地局アドレス３６１６を有する。
【０１０８】
登録番号３６１１は、制御局エリア管理テーブル３６１０に登録されているレコードの番号を示す。制御局２０００毎に１レコードが登録されている。
【０１０９】
制御局番号３６１２は、管理サーバ３０００が管理している制御局２０００の識別子を示す。
【０１１０】
制御局アドレス３６１３は、制御局番号３６１２で示される制御局２０００のアドレスを示す。
【０１１１】
エリア番号３６１４は、制御局番号３６１２で示される制御局２０００が管理している位置登録エリア１０の識別子を示す。
【０１１２】
基地局番号３６１５は、エリア番号３６１４で示される位置登録エリア１０に登録されている基地局１０００の識別子を示す。
【０１１３】
基地局アドレス３６１６は、基地局番号３６１５で示される基地局１０００のアドレスを示す。
【０１１４】
図９は、制御局属性管理テーブル３６２０の構成及び内容の例を示す図である。
【０１１５】
制御局属性管理テーブル３６２０は、管理サーバ３０００の制御局管理テーブル記憶部３６００に記憶されているテーブルである。このテーブルは、管理サーバ３０００が管理している各制御局２０００の性能等の属性及び現在の状況を示している。また、通信システムに新たな制御局２０００及び位置登録エリア１０が追加又は削除された場合には、適時、制御局属性管理テーブル３６２０にデータが追加又は削除される。
【０１１６】
制御局属性管理テーブル３６２０は、登録番号３６２１、制御局番号３６２２、収容可能基地局数３６２３、収容基地局数３６２４、エリア番号３６２５、基地局数３６２６及びトラフィック情報３６２７を有する。
【０１１７】
登録番号３６２１は、制御局属性管理テーブル３６２０に登録されているレコードの番号を示す。制御局２０００毎に１レコードが登録されている。
【０１１８】
制御局番号３６２２は、管理サーバ３０００が管理している制御局２０００の識別子を示す。
【０１１９】
収容可能基地局数３６２３は、制御局番号３６２２で示される制御局２０００が収容できる基地局１０００の数を示す。
【０１２０】
収容基地局数３６２４は、制御局番号３６２２で示される制御局２０００が現在収容している数を示す。
【０１２１】
エリア番号３６２５は、制御局番号３６２２で示される制御局２０００が管理している位置登録エリア１０の識別子を示す。
【０１２２】
基地局数３６２６は、エリア番号３６２５で示される位置登録エリア１０に現在登録されている基地局１０００の数を示す。
【０１２３】
トラフィック情報３６２７は、エリア番号３６２５で示される位置登録エリア１０におけるトラフィック量等の情報を示す。実施形態では、位置登録エリア１０に対する一定時間当たりの一斉呼び出しの回数とする。
【０１２４】
図１０は、基地局管理テーブル２４１０の構成及び内容の例を示す図である。
【０１２５】
基地局管理テーブル２４１０は、制御局２０００の基地局管理テーブル記憶部２４００に記憶されているテーブルである。このテーブルは、制御局２０００がどの位置登録エリア１０を管理しているのかを記憶しており、各位置登録エリア１０に登録されている基地局１０００を記憶している。また、制御局２０００が管理する位置登録エリア１０が追加又は削除された場合には、適時、データが追加又は削除される。
【０１２６】
基地局管理テーブル２４１０は、登録番号２４１１、エリア番号２４１２及び基地局番号２４１３を有する。
【０１２７】
登録番号２４１１は、基地局管理テーブル２４１０に登録されているレコードの番号を示す。位置登録エリア１０毎に１レコードが登録されている。
【０１２８】
エリア番号２４１２は、当該基地局管理テーブル２４１０を記憶している制御局２０００が管理している位置登録エリア１０の識別子を示す。
【０１２９】
基地局番号２４１３は、エリア番号２４１２で示される位置登録エリア１０に登録されている基地局１０００の識別子を示す。
【０１３０】
＜動作＞
以下、実施形態の通信システムの動作について図１１〜図１３を用いて説明する。
【０１３１】
図１１は、基地局の登録処理を示すフローチャートである。
【０１３２】
図１１において、新設される基地局として基地局１０００Ｘを例にとり、既存の基地局として基地局１０００Ａを例にとって説明する。
【０１３３】
まず、基地局１０００Ａの報知情報送信部１７００は、無線通信部１２００を介して、報知情報１７１０（図４参照）を所定周期で繰り返し送信している（ステップＳ１００）。
【０１３４】
詳細には、基地局１０００Ａがいずれかの位置登録エリア１０に登録された時に、基地局１０００Ａの報知情報送信部１７００は、報知情報１７１０を生成する。報知情報１７１０のメッセージ内容１７１１として「報知情報」を設定し、位置情報１７１２として基地局１０００Ａが設置されている位置の緯度経度を設定し、事業者コード１７１３として「Ｐ００１」を設定する。また、エリア番号１７１４として、登録された位置登録エリア１０の識別子「Ａｒｅａ−Ａ」を設定し、基地局番号１７１５として基地局１０００Ａ自身の識別子「ＦｅｍｔｏＡ」を設定する。
【０１３５】
報知情報１７１０を生成した報知情報送信部１７００は、無線通信部１２００を介して、所定周期で周囲の移動局２０に向けて報知情報１７１０の送信を開始する。
【０１３６】
新設された基地局１０００Ｘの制御部１１００は、基地局１０００Ｘの電源が入れられて通電されると、基地局１０００Ｘ自身をいずれかの位置登録エリア１０に登録する処理を行うよう登録処理部１４００に依頼する。
【０１３７】
依頼を受けた登録処理部１４００は、位置測位部１５００に基地局１０００Ｘ自身の位置を計測するよう依頼する。
【０１３８】
依頼を受けた位置測位部１５００は、基地局１０００Ｘ自身の位置の緯度経度を求め、求めた緯度経度を基地局情報記憶部１８００に記憶させる。
【０１３９】
また、登録処理部１４００は隣接基地局検出部１６００に、隣接する基地局１０００を検出するよう依頼する。
【０１４０】
依頼を受けた隣接基地局検出部１６００は、無線通信部１２００を介して、報知情報１７１０を一定時間、例えば、５秒間受信する。
【０１４１】
隣接基地局検出部１６００は、一定時間の間に受信できた報知情報１７１０から基地局番号１７１５を読み出し、作業メモリに記憶しておく（ステップＳ１１０）。例えば、基地局１０００Ａの報知情報１７１０を受信し、基地局番号１７１５「ＦｅｍｔｏＡ」を記憶する。
【０１４２】
一定時間が経過後、隣接基地局検出部１６００は作業メモリに記憶してある基地局番号１７１５のリストを登録処理部１４００に渡す。
【０１４３】
基地局番号１７１５のリストを渡された登録処理部１４００は、登録要求１４１０を生成する。
【０１４４】
具体的には、登録要求１４１０のメッセージ内容１４１１として「基地局の登録要求」を設定し、サーバ宛先１４１２として管理サーバ３０００のアドレスである「Ｓｅｒｖｅｒ＿ａｄｄｒ」を設定し、基地局番号１４１３として基地局１０００Ｘ自身の識別子「ＦｅｍｔｏＸ」を設定し、認証情報１４１４として内部に記憶している認証情報を設定し、基地局アドレス１４１５として基地局１０００Ｘ自身のアドレス「ＦｅｍｔｏＸ＿ａｄｄｒ」を設定する。
【０１４５】
登録要求１４１０を生成した登録処理部１４００は、生成した登録要求１４１０を管理サーバ３０００に有線通信部１３００を介して送信する（ステップＳ１２０）。
【０１４６】
管理サーバ３０００において、通信部３２００を介して登録要求１４１０を受信した制御部３１００は、受信した登録要求１４１０を登録要求処理部３３００に渡して、登録処理を依頼する。
【０１４７】
依頼を受けた登録要求処理部３３００は、登録要求１４１０の認証情報１４１４を読み出して認証を行う（ステップＳ１３０）。
【０１４８】
認証結果が肯定的である場合は、その旨の通知を登録要求１４１０の基地局アドレス１４１５宛に送信する。すなわち、基地局番号１４１３「ＦｅｍｔｏＸ」で示される基地局１０００Ｘ宛てに、認証結果が肯定的であった旨を通信部３２００を介して送信する。認証結果が否定的であった場合は、何も行わない。
【０１４９】
基地局１０００Ｘにおいて、認証結果が肯定的であった旨を有線通信部１３００を介して受信した登録処理部１４００は、基地局詳細情報１４２０を生成する。
【０１５０】
具体的には、基地局詳細情報１４２０のメッセージ内容１４２１として「基地局の詳細情報」を設定し、サーバ宛先１４２２として、管理サーバ３０００のアドレスである「Ｓｅｒｖｅｒ＿ａｄｄｒ」を設定し、基地局番号１４２３として基地局１０００Ｘ自身の識別子「ＦｅｍｔｏＸ」を設定する。また、位置情報１４２４として基地局情報記憶部１８００に記憶されている緯度経度を読み出して設定し、隣接基地局番号１４２５として隣接基地局検出部１６００から渡された基地局番号１７１５のリストを設定する。
【０１５１】
基地局詳細情報１４２０を生成した登録処理部１４００は、生成した基地局詳細情報１４２０を管理サーバ３０００に有線通信部１３００を介して送信する（ステップＳ１４０）。
【０１５２】
通信部３２００を介して基地局詳細情報１４２０を受信した制御部３１００は、受信した基地局詳細情報１４２０を登録要求処理部３３００に渡して、登録処理を依頼する。
【０１５３】
依頼を受けた登録要求処理部３３００は、基地局番号１４２３で示される基地局１０００Ｘをいずれの位置登録エリア１０に登録するかを決定するよう登録エリア決定部３４００に依頼する。
【０１５４】
依頼を受けた登録エリア決定部３４００は、基地局詳細情報１４２０の内容に基づいて、基地局１０００Ｘをいずれの位置登録エリア１０に登録するかを決定する（ステップＳ１５０）。この際、既設の基地局１０００の収容替えを行うか否か、行う場合はどのような収容替えを行うかを決定する。この登録エリアの決定処理については、図１２を用いて後で説明する。
【０１５５】
基地局１０００Ｘを登録する位置登録エリア１０を決定した登録エリア決定部３４００は、決定した位置登録エリア１０を登録要求処理部３３００に渡す。
【０１５６】
決定した位置登録エリア１０を渡された登録要求処理部３３００は、収容要求３３２０（図７参照）を生成する。
【０１５７】
具体的には、収容要求３３２０のメッセージ内容３３２１として「基地局の収容要求」を設定し、制御局エリア管理テーブル３６１０を参照して、制御局宛先３３２２として決定した位置登録エリア１０を管理している制御局２０００のアドレス「ＣｎｔｌＡ＿ａｄｄｒ」を設定する。また、基地局番号３３２３として、基地局詳細情報１４２０の基地局番号１４２３に設定されていた基地局１０００の識別子、すなわち基地局１０００Ｘの識別子を設定する。エリア番号３３２４として決定した位置登録エリア１０の識別子「Ａｒｅａ−Ａ」を設定する。
【０１５８】
収容要求３３２０を生成した登録要求処理部３３００は、生成した収容要求３３２０を、決定した位置登録エリア１０を管理している制御局２０００宛に通信部３２００を介して送信する（ステップＳ１６０）。
【０１５９】
制御局２０００において、通信部２２００を介して収容要求３３２０を受信した制御局２０００の制御部２１００は、受信した収容要求３３２０を基地局登録部２３００に渡して登録を依頼する。
【０１６０】
依頼を受けた基地局登録部２３００は、基地局管理テーブル記憶部２４００に記憶されている基地局管理テーブル２４１０（図１０参照）のエリア番号２４１２が、受け取った収容要求３３２０のエリア番号３３２４として設定されている識別子と同じ識別子のレコードを検索する。
【０１６１】
基地局登録部２３００は、検索されたレコードの基地局番号２４１３に、受け取った収容要求３３２０の基地局番号３３２３として設定されている識別子を追加する（ステップＳ１７０）。
【０１６２】
登録を行った基地局登録部２３００は、その旨を制御部２１００に渡す。
【０１６３】
登録が行われた旨を受け取った制御部２１００は、運用データの生成等の必要な処理を行った後、通信部２２００を介して、登録が完了した旨を管理サーバ３０００に通知する。
【０１６４】
管理サーバ３０００において、通信部３２００を介して、登録が完了した旨の通知を受信した管理サーバ３０００の制御部３１００は、基地局１０００Ｘが位置登録エリア１０に登録された旨を、制御局エリア管理テーブル３６１０及び制御局属性管理テーブル３６２０に登録する。
【０１６５】
具体的には、制御部３１００は、制御局エリア管理テーブル３６１０のエリア番号３６１４が、登録した位置登録エリア１０の識別子と同じ識別子のレコードを検索する。検索したレコードのうち、登録した位置登録エリア１０の識別子と対応する基地局番号３６１５に、登録要求１４１０の基地局番号１４１３を追加し、基地局アドレス３６１６に基地局アドレス１４１５を追加する。
【０１６６】
また、制御局属性管理テーブル３６２０のエリア番号３６２５が、登録した位置登録エリア１０の識別子と同じ識別子のレコードを検索する。検索したレコードのうち、登録した位置登録エリア１０の識別子と対応する基地局数３６２６に設定されている数に１を加算する。
【０１６７】
また、制御部３１００は、登録された位置登録エリア１０を基地局１０００Ｘに通知するよう登録要求処理部３３００に依頼する。
【０１６８】
依頼を受けた登録要求処理部３３００は、エリア番号通知３３１０（図６参照）を生成する。
【０１６９】
具体的には、登録要求処理部３３００は、エリア番号通知３３１０のメッセージ内容３３１１として「エリア番号の通知」を設定し、基地局宛先３３１２として登録を要求してきた基地局１０００のアドレス「ＦｅｍｔｏＸ＿ａｄｄｒ」を設定し、新エリア番号３３１３として登録した位置登録エリア１０の識別子「Ａｒｅａ−Ａ」を設定する。
【０１７０】
エリア番号通知３３１０を生成した登録要求処理部３３００は、生成したエリア番号通知３３１０を、基地局１０００Ｘ宛に通信部３２００を介して送信する（ステップＳ１８０）。
【０１７１】
有線通信部１３００を介してエリア番号通知３３１０を受信した基地局１０００Ｘの登録処理部１４００は、受信したエリア番号通知３３１０の新エリア番号３３１３として設定されている位置登録エリア１０の識別子を、制御部１１００に渡す。
【０１７２】
位置登録エリア１０の識別子を渡された制御部１１００は、渡された識別子を基地局情報記憶部１８００に記憶させ、報知情報送信部１７００に報知情報１７１０を生成して、送信を開始するよう指示する。
【０１７３】
指示を受けた報知情報送信部１７００は、報知情報１７１０を生成する。
【０１７４】
具体的には、報知情報１７１０のメッセージ内容１７１１として「報知情報」を設定し、位置情報１７１２として基地局情報記憶部１８００に記憶されている緯度経度「（３０．８８８８８，１３０．９９９９９）」を設定し、事業者コード１７１３として「Ｐ００１」を設定する。また、エリア番号１７１４として基地局情報記憶部１８００に記憶されている位置登録エリア１０の識別子「Ａｒｅａ−Ａ」を設定し、基地局番号１７１５として基地局１０００Ｘ自身の識別子「ＦｅｍｔｏＸ」を設定する。
【０１７５】
報知情報１７１０を生成した報知情報送信部１７００は、無線通信部１２００を介して、所定周期で周囲の移動局２０に向けて報知情報１７１０の送信を開始する（ステップＳ１９０）。
【０１７６】
ステップＳ１８０において、エリア番号通知３３１０を基地局１０００Ｘ宛に送信した登録要求処理部３３００は、登録エリア決定部３４００が既設の基地局１０００の収容替えを行うと決定していた場合は（ステップＳ２００：Ｙｅｓ）、収容処理部３５００に依頼して収容替え処理を行う（ステップＳ２１０）。また、登録エリア決定部３４００が既設の基地局１０００の収容替えを行わないと決定していた場合は（ステップＳ２００：Ｎｏ）登録処理を終了する。
【０１７７】
尚、この収容替え処理については、図１３を用いて後で説明する。
【０１７８】
＜登録エリアの決定処理＞
図１２を用いて、登録エリアの決定処理について説明する。
【０１７９】
登録エリアの決定処理を説明する際に、図１４〜図１６を参照する。図１４〜図１６は、新設する基地局１０００Ｘの位置と登録する位置登録エリア１０との例を示す図である。基地局１０００Ａ〜Ｄは位置登録エリア１０Ａに登録され、基地局１０００Ｅ及びＦは位置登録エリア１０Ｂに登録されている。また、位置登録エリア１０Ａは制御局２０００Ａに管理されており、位置登録エリア１０Ｂは制御局２０００Ｂに管理されている。点線又は実線の円は、それぞれの基地局１０００から送信されている報知情報１７１０の到達範囲を示す。また、白抜き矢印の上の図は、基地局１０００Ｘが設置された場所を示し、下の図は、基地局１０００Ｘが登録された位置登録エリア１０を示す。
【０１８０】
図１２は、登録エリアの決定処理を示すフローチャートである。
【０１８１】
この処理は、図１１を用いて説明した基地局の登録処理を示すフローチャートのステップＳ１５０に該当する処理であり、管理サーバ３０００の登録エリア決定部３４００が行う処理である。
【０１８２】
通信部３２００を介して基地局詳細情報１４２０を受信した制御部３１００は、受信した基地局詳細情報１４２０（図５参照）を登録要求処理部３３００に渡して、登録処理を依頼する。
【０１８３】
依頼を受けた登録要求処理部３３００は、基地局詳細情報１４２０を渡して、基地局番号１４２３で示される基地局１０００Ｘをいずれの位置登録エリア１０に登録するかを決定するよう登録エリア決定部３４００に依頼する。
【０１８４】
依頼を受けた登録エリア決定部３４００は、基地局１０００Ｘをいずれの位置登録エリア１０に登録するかを決定する。また、既設の基地局１０００の収容替えを行うか否か、行う場合はどのような収容替えを行うかを決定する。この際、制御局管理テーブル記憶部３６００に記憶されている制御局エリア管理テーブル３６１０及び制御局属性管理テーブル３６２０を参照する。
【０１８５】
まず、登録エリア決定部３４００は、制御部３１００から渡された基地局詳細情報１４２０を参照し、隣接基地局番号１４２５として記載されている識別子の数を求める。
【０１８６】
この隣接基地局番号１４２５として記載されている識別子の数、すなわち、隣接する基地局１０００の数が０（ゼロ）である場合は（ステップＳ４００：＝０）、位置情報１４２４を参照して登録する位置登録エリア１０を決定する。具体的には、例えば、位置情報１４２４として設定されている緯度経度に最も近い位置登録エリア１０を、基地局１０００Ｘを登録する位置登録エリア１０として決定する。又は、新たに位置登録エリア１０を生成し、生成した位置登録エリア１０を、基地局１０００Ｘを登録する位置登録エリア１０として決定する等である。尚、制御局エリア管理テーブル３６１０のエリア番号３６１４で示される位置登録エリア１０の位置は、制御局管理テーブル記憶部３６００に記憶されているものとする。
【０１８７】
一方、隣接する基地局１０００の数が１つである場合は（ステップＳ４００：＝１）、その隣接基地局番号１４２５で示される基地局１０００が登録されている位置登録エリア１０と同じ位置登録エリア１０に登録するよう決定する（ステップＳ４４０）。
【０１８８】
例えば、図１４の上の図に示すように、基地局１０００Ｘが基地局１０００Ａの報知情報１７１０のみを受信できる位置に設置されたとする。この場合、隣接基地局番号１４２５で示される基地局１０００の識別子が「ＦｅｍｔｏＡ」であり、制御局エリア管理テーブル３６１０の基地局番号３６１５に「ＦｅｍｔｏＡ」が設定されているレコードを検索する。基地局番号３６１５「ＦｅｍｔｏＡ」と対応付けられているエリア番号３６１４で示される識別子「Ａｒｅａ−Ａ」の位置登録エリア１０を、基地局１０００Ｘを登録する位置登録エリア１０として決定する。図１４の下の図に示すように、基地局１０００Ｘは位置登録エリア１０Ａに登録され、制御局２０００Ａに制御される。
【０１８９】
また、隣接する基地局１０００の数が２つ以上である場合は（ステップＳ４００：＞１）、その隣接基地局番号１４２５で示される複数の基地局１０００がそれぞれ登録されている位置登録エリア１０が、お互いに同じかどうか判断する（ステップＳ４１０）。
【０１９０】
同じである場合は（ステップＳ４１０：Ｙｅｓ）、同じ位置登録エリア１０に登録するよう決定する（ステップＳ４４０）。
【０１９１】
異なる場合は（ステップＳ４１０：Ｎｏ）、位置登録エリア１０毎に登録されている基地局１０００の数を求める。
【０１９２】
例えば、隣接基地局番号１４２５として記載されている識別子で示される複数の基地局１０００のそれぞれが登録されている位置登録エリア１０が、位置登録エリア１０Ａ及び位置登録エリア１０Ｂであった場合は、位置登録エリア１０Ａ及び位置登録エリア１０Ｂのそれぞれに登録されている基地局１０００の数を求める。
【０１９３】
具体的には、登録エリア決定部３４００は、隣接基地局番号１４２５で示される基地局１０００の識別子が「ＦｅｍｔｏＡ」である場合は、制御局エリア管理テーブル３６１０の基地局番号３６１５に「ＦｅｍｔｏＡ」が設定されているレコードを検索する。基地局番号３６１５「ＦｅｍｔｏＡ」と対応付けられているエリア番号３６１４で示される識別子「Ａｒｅａ−Ａ」を求める。次に、制御局属性管理テーブル３６２０のエリア番号３６２５が、「Ａｒｅａ−Ａ」であるレコードを検索し、対応する基地局数３６２６の数「２０」を求める。この数が、位置登録エリア１０Ａに現在登録されている基地局１０００の数である。
【０１９４】
それぞれの位置登録エリア１０に登録されている基地局１０００の数を求めた登録エリア決定部３４００は、登録されている基地局１０００の数の差が所定数、例えば、１０個以下の場合（ステップＳ４２０：小）、すなわち、それぞれの位置登録エリア１０に登録されている基地局１０００の数にあまり差がない場合は、それぞれの位置登録エリア１０におけるトラフィックの負担が少ない方の位置登録エリア１０を、基地局１０００Ｘを登録する位置登録エリア１０として決定する（ステップＳ４５０）。トラフィック量は、制御局属性管理テーブル３６２０のトラフィック情報３６２７を参照する。
【０１９５】
例えば、位置登録エリア１０Ａと位置登録エリア１０Ｂとのそれぞれに登録されている基地局１０００の数に差があまりなく、トラフィック量が位置登録エリア１０Ｂのほうが少ない場合は、位置登録エリア１０Ｂを登録すべき位置登録エリア１０として決定する。
【０１９６】
それぞれの位置登録エリア１０に登録されている基地局１０００の数を求めた登録エリア決定部３４００は、登録されている基地局１０００の数の差が所定数、例えば、１１個以上の場合（ステップＳ４２０：大）、すなわち、それぞれの位置登録エリア１０に登録されている基地局１０００の数に差がある程度ある場合は、登録数が少ない位置登録エリア１０の基地局１０００を、登録数が多い位置登録エリア１０に収容することを検討する。
【０１９７】
具体的には、それぞれの位置登録エリア１０に登録されている基地局１０００の数を合計し、合計した数が一つの位置登録エリア１０の登録数の適正値、例えば、４０個を超えているかを判断する（ステップＳ４３０）。
【０１９８】
超えていない場合は（ステップＳ４３０：Ｎｏ）、登録数が多い位置登録エリア１０を、基地局１０００Ｘを登録する位置登録エリア１０と決定する。また、登録数が少ない位置登録エリア１０の基地局１０００を、登録数が多い位置登録エリア１０に収容し直すことを決定する（ステップＳ４６０）。
【０１９９】
例えば、図１５に示すように、基地局１０００Ｘが基地局１０００Ｂ及び基地局１０００Ｅの報知情報１７１０を受信できる位置に設置されたとする。この場合、基地局１０００Ｘは位置登録エリア１０Ａに登録され、位置登録エリア１０Ｂに登録されている基地局１０００Ｅ及び基地局１０００Ｆは、位置登録エリア１０Ａに収容替えされる。
【０２００】
なぜなら、位置登録エリア１０Ａに登録されている基地局１０００の数と位置登録エリア１０Ｂに登録されている基地局１０００の数の差が所定数以上あって、位置登録エリア１０Ａと位置登録エリア１０Ｂとのそれぞれに登録されている基地局１０００の数の合計が適正値を超えない場合だからである。
【０２０１】
一方、基地局１０００の数の合計が適正値を超えている場合は（ステップＳ４３０：Ｙｅｓ）、登録数が少ない位置登録エリア１０を、基地局１０００Ｘを登録する位置登録エリア１０と決定する（ステップＳ４７０）。
【０２０２】
例えば、図１６に示すように、基地局１０００Ｘが基地局１０００Ｂ及び基地局１０００Ｅの報知情報１７１０を受信できる位置に設置されたとする。この場合、基地局１０００Ｘは位置登録エリア１０Ｂに登録される。
【０２０３】
なぜなら、位置登録エリア１０Ａに登録されている基地局１０００の数と位置登録エリア１０Ｂに登録されている基地局１０００の数の差が所定数以上あるが、位置登録エリア１０Ａと位置登録エリア１０Ｂとのそれぞれに登録されている基地局１０００の数の合計が適正値を超えた場合だからである。
【０２０４】
＜収容替え処理＞
図１３を用いて、収容替え処理について説明する。
【０２０５】
図１３は、収容替え処理を示すフローチャートである。図１３では、基地局１０００Ｅを、制御局２０００Ｂが管理する位置登録エリア１０Ｂから制御局２０００Ａが管理する位置登録エリア１０Ａに収容替えを行う場合を例に説明する。
【０２０６】
この処理は、図１２を用いて説明した基地局の登録処理を示すフローチャートのステップＳ２１０に該当する処理である。
【０２０７】
エリア番号通知３３１０を基地局１０００Ｘ宛に送信した登録要求処理部３３００は、登録エリア決定部３４００が既設の基地局１０００の収容替えを行うと決定していた場合は、収容処理部３５００に収容替え処理を依頼する。この際、登録エリア決定部３４００が決定した収容替えする基地局１０００と収容先の位置登録エリア１０とを渡す。ここでは、基地局１０００Ｅと位置登録エリア１０Ａとを渡す。
【０２０８】
依頼を受けた収容処理部３５００は、基地局１０００Ｅを新たな収容先である位置登録エリア１０Ａに収容するための収容要求３３２０（図７参照）を生成する。
【０２０９】
具体的には、収容要求３３２０のメッセージ内容３３２１として「基地局の収容要求」を設定し、制御局宛先３３２２として、新たな収容先である位置登録エリア１０Ａを管理している制御局２０００のアドレス「ＣｎｔｌＡ＿ａｄｄｒ」を設定する。また、基地局番号３３２３として基地局１０００Ｅの識別子「ＦｅｍｔｏＥ」を設定する。エリア番号３３２４として、新たな収容先である位置登録エリア１０Ａの識別子「Ａｒｅａ−Ａ」を設定する。尚、新たな収容先である位置登録エリア１０Ａを管理している制御局２０００のアドレスは、制御局エリア管理テーブル３６１０のエリア番号３６１４が「Ａｒｅａ−Ａ」であるレコードの制御局アドレス３６１３を参照して求める。
【０２１０】
収容要求３３２０を生成した収容処理部３５００は、生成した収容要求３３２０を通信部３２００を介して送信する（ステップＳ３００）。
【０２１１】
通信部２２００を介して収容要求３３２０を受信した制御局２０００Ａの制御部２１００は、受信した収容要求３３２０を基地局登録部２３００に渡して登録を依頼する。
【０２１２】
依頼を受けた基地局登録部２３００は、基地局管理テーブル記憶部２４００に記憶されている基地局管理テーブル２４１０のエリア番号２４１２が、受け取った収容要求３３２０のエリア番号３３２４として設定されている識別子と同じ識別子のレコードを検索する。
【０２１３】
基地局登録部２３００は、検索されたレコードの基地局番号２４１３に、受け取った収容要求３３２０の基地局番号３３２３として設定されている識別子を追加する（ステップＳ３１０）。
【０２１４】
登録を行った基地局登録部２３００は、その旨を制御部２１００に渡す。
【０２１５】
登録が行われた旨を受け取った制御部２１００は、運用データの生成等の必要な処理を行った後、登録が完了した旨を管理サーバ３０００に通信部２２００を介して通知する。
【０２１６】
登録が完了した旨の通知を受信した管理サーバ３０００の制御部３１００は、その旨を収容処理部３５００に通信部３２００を介して通知する。
【０２１７】
基地局１０００Ｅが登録された旨の通知を受けた収容処理部３５００は、次に、現在登録されている位置登録エリア１０Ｂから基地局１０００Ｅを削除するための削除要求３３３０を生成する。
【０２１８】
具体的には、削除要求３３３０のメッセージ内容３３３１として「基地局の削除要求」を設定し、制御局宛先３３３２として現在の位置登録エリア１０Ｂを管理している制御局２０００のアドレス「ＣｎｔｌＢ＿ａｄｄｒ」を設定する。また、基地局番号３３３３として基地局１０００Ｅの識別子「ＦｒｅｍｔｏＥ」を設定する。エリア番号３３３４として現在の位置登録エリア１０Ｂの識別子「Ａｒｅａ−Ｂ」を設定する。尚、現在の位置登録エリア１０Ｂは、制御局エリア管理テーブル３６１０の基地局番号３６１５が「ＦｅｍｕｔｏＥ」であるレコードのエリア番号３６１４を参照して求め、制御局２０００のアドレスは制御局アドレス３６１３を参照して求める。
【０２１９】
削除要求３３３０を生成した収容処理部３５００は、生成した削除要求３３３０を通信部３２００を介して送信する（ステップＳ３２０）。
【０２２０】
通信部２２００を介して収容要求３３２０を受信した制御局２０００Ｂの制御部２１００は、受信した収容要求３３２０を基地局登録部２３００に渡して削除を依頼する。
【０２２１】
依頼を受けた基地局登録部２３００は、基地局管理テーブル記憶部２４００に記憶されている基地局管理テーブル２４１０のエリア番号２４１２が、受け取った削除要求３３３０のエリア番号３３３４として設定されている識別子と同じ識別子のレコードを検索する。
【０２２２】
基地局登録部２３００は、検索されたレコードの基地局番号２４１３から、受け取った削除要求３３３０の基地局番号３３３３として設定されている識別子を削除する（ステップＳ３３０）。
【０２２３】
削除を行った基地局登録部２３００は、その旨を制御部２１００に渡す。
【０２２４】
削除が行われた旨を受け取った制御部２１００は、運用データの削除等の必要な処理を行った後、通信部２２００を介して削除が完了した旨を管理サーバ３０００に通知する。
【０２２５】
通信部３２００を介して、削除が完了した旨の通知を受信した管理サーバ３０００の制御部３１００は、基地局１０００Ｅが位置登録エリア１０Ｂから位置登録エリア１０Ａに収容替えされた旨を、制御局エリア管理テーブル３６１０及び制御局属性管理テーブル３６２０に登録する。
【０２２６】
具体的には、制御局エリア管理テーブル３６１０のエリア番号３６１４が、収容前の位置登録エリア１０の識別子「Ａｒｅａ−Ｂ」と同じ識別子のレコードを検索する。検索したレコードのうち、収容前の位置登録エリア１０の識別子と対応する基地局番号３６１５から基地局１０００Ｅの識別子「ＦｅｍｔｏＥ」を削除する。
【０２２７】
制御局エリア管理テーブル３６１０のエリア番号３６１４が、収容後の位置登録エリア１０の識別子「Ａｒｅａ−Ａ」と同じ識別子のレコードを検索する。検索したレコードのうち、収容後の位置登録エリア１０の識別子と対応する基地局番号３６１５に基地局１０００Ｅの識別子「ＦｅｍｔｏＥ」を追加する。
【０２２８】
また、制御局属性管理テーブル３６２０のエリア番号３６２５が、収容前の位置登録エリア１０の識別子「Ａｒｅａ―Ｂ」と同じ識別子のレコードを検索する。検索したレコードのうち、収容前の位置登録エリア１０Ｂの識別子と対応する基地局数３６２６に設定されている数から１を減算する。
【０２２９】
制御局属性管理テーブル３６２０のエリア番号３６２５が、収容後の位置登録エリア１０の識別子「Ａｒｅａ―Ａ」と同じ識別子のレコードを検索する。検索したレコードのうち、収容前の位置登録エリア１０Ｂの識別子と対応する基地局数３６２６に設定されている数に１を加算する。
【０２３０】
また、削除が完了した旨の通知を受信した管理サーバ３０００の制御部３１００は、新たな収容先である位置登録エリア１０Ａを基地局１０００Ｅに通知するよう収容処理部３５００に依頼する。
【０２３１】
依頼を受けた収容処理部３５００は、エリア番号通知３３１０を生成する。
【０２３２】
具体的には、エリア番号通知３３１０のメッセージ内容３３１１として「エリア番号の通知」を設定し、基地局宛先３３１２として収容替えをする基地局１０００Ｅのアドレス「ＦｅｍｔｏＥ＿ａｄｄｒ」を設定し、新エリア番号３３１３として登録した位置登録エリア１０Ａの識別子「Ａｒｅａ−Ａ」を設定する。
【０２３３】
エリア番号通知３３１０を生成した収容処理部３５００は、生成したエリア番号通知３３１０を、基地局１０００Ｅ宛に通信部３２００を介して送信する（ステップＳ３４０）。
【０２３４】
有線通信部１３００を介してエリア番号通知３３１０を受信した基地局１０００Ｅの登録処理部１４００は、受信したエリア番号通知３３１０の新エリア番号３３１３として設定されている位置登録エリア１０Ａの識別子を、制御部１１００に渡す。
【０２３５】
位置登録エリア１０Ａの識別子を渡された制御部１１００は、渡された識別子を基地局情報記憶部１８００に記憶させ、報知情報送信部１７００に報知情報１７１０を生成して、送信を開始するよう指示する。
【０２３６】
指示を受けた報知情報送信部１７００は、報知情報１７１０を生成する。
【０２３７】
具体的には、報知情報１７１０のメッセージ内容１７１１として「報知情報」を設定し、位置情報１７１２として基地局情報記憶部１８００に記憶されている緯度経度を設定し、事業者コード１７１３として「Ｐ００１」を設定する。また、エリア番号１７１４として基地局情報記憶部１８００に記憶されている位置登録エリア１０の識別子「Ａｒｅａ−Ａ」を設定し、基地局番号１７１５として基地局１０００Ｘ自身の識別子「ＦｅｍｔｏＥ」を設定する。
【０２３８】
報知情報１７１０を生成した報知情報送信部１７００は、無線通信部１２００を介して、所定周期で周囲の移動局２０に向けて報知情報１７１０を開始する（ステップＳ３５０）。
【０２３９】
収容処理部３５００は、収容替えを行う基地局１０００がある場合は（ステップＳ３６０：Ｙｅｓ）、ステップＳ３００から処理を行い、収容替えを行う基地局１０００がない場合は（ステップＳ３６０：Ｎｏ）、処理を終了する。
【０２４０】
＜その他の実施形態＞
以上、本発明の実施形態について説明したが、本発明は上記形態に限らず、以下のようにしてもよい。
（１）実施形態では、新設する基地局１０００が受信する報知情報１７１０は、２つの位置登録エリア１０に登録されているそれぞれの基地局１０００から送信されたものとして説明しているが、３つ以上の位置登録エリア１０に登録されているそれぞれの基地局１０００から送信されたものを受信する場合も同様に、新設する基地局１０００を登録すべき位置登録エリア１０を決定する。例えば、属する基地局が最も少ない位置登録エリア１０に、新設する位置登録エリア１０を登録する。また、属する基地局が最も少ない位置登録エリア１０の基地局を、次に少ない位置登録エリア１０に収容替えする等である。
【０２４１】
また、実施形態では、ある位置登録エリア１０に登録されている全ての基地局１０００を収容替えしているが、一部のみを収容替えすることとしてもよい。例えば、制御局２０００が管理する各位置登録エリア１０に属している基地局１０００の数を均一化する。また、地理的な位置が近接している基地局１０００は、１つの位置登録エリア１０に集める等である。
（２）実施形態では、基地局１０００の収容替えを判断する際に、位置登録エリア１０の適正数を考慮したが、制御局２０００の収容可能基地局数等の他の要素を考慮することとしてもよい。
（３）実施形態では、複数の位置登録エリア１０から報知情報１７１０を受信したときは、各位置登録エリア１０に登録されている基地局１０００の数だけではなく、各位置登録エリア１０のトラフィック量及び位置登録エリア１０に登録する基地局１０００の数の適正数を考慮して、新設する基地局１０００の登録先の位置登録エリア１０を決定した。しかし、これらのいずれか一つの要素のみで決定してもよい。例えば、各位置登録エリア１０に属する基地局１０００の数のみを考慮して、登録数が少ない位置登録エリア１０を新設する基地局１０００の登録先と決定してもよい。
【０２４２】
また、実施形態では、位置登録エリア１０に登録されている基地局１０００の数ではなく、受信した報知情報１７１０を送信した基地局１０００の数が多い位置登録エリア１０を、新設する基地局１０００の登録先と決定してもよい。
（４）基地局１０００等は、図３等の各構成要素の全部又は一部を、１チップ又は複数チップの集積回路で実現してもよい。
（５）基地局１０００等は、図３等の各構成要素の全部又は一部を、コンピュータのプログラムで実現してもよいし、その他どのような形態で実施してもよい。
【０２４３】
コンピュータプログラムの場合、メモリカード、ＣＤ−ＲＯＭなどいかなる記録媒体に書き込まれたものをコンピュータに読み込ませて実行させる形にしてもよいし、ネットワークを経由してプログラムをダウンロードして実行させる形にしてもよい。
【符号の説明】
【０２４４】
１０  位置登録エリア
２０  移動局
１０００  基地局
１１００  ２１００  ３１００  制御部
１２００  無線通信部
１３００  有線通信部
１４００  登録処理部
１４１０  登録要求
１４２０  基地局詳細情報
１４２５  隣接基地局番号
１５００  位置測位部
１６００  隣接基地局検出部
１７００  報知情報送信部
１７１０  報知情報
１７１４  エリア番号
１７１５  基地局番号
１８００  基地局情報記憶部
２０００  制御局
２２００  ３２００  通信部
２３００  基地局登録部
２４００  基地局管理テーブル記憶部
２４１０  基地局管理テーブル
３０００  管理サーバ
３３００  登録要求処理部
３３１０  エリア番号通知
３３２０  収容要求
３３３０  削除要求
３４００  登録エリア決定部
３５００  収容処理部
３６００  制御局管理テーブル記憶部
３６１０  制御局エリア管理テーブル
３６２４  収容基地局数
【図１】
2011015352.tif 000003
【図２】
2011015352.tif 000004
【図３】
2011015352.tif 000005
【図４】
2011015352.tif 000006
【図５】
2011015352.tif 000007
【図６】
2011015352.tif 000008
【図７】
2011015352.tif 000009
【図８】
2011015352.tif 000010
【図９】
2011015352.tif 000011
【図１０】
2011015352.tif 000012
【図１１】
2011015352.tif 000013
【図１２】
2011015352.tif 000014
【図１３】
2011015352.tif 000015
【図１４】
2011015352.tif 000016
【図１５】
2011015352.tif 000017
【図１６】
2011015352.tif 000018